(57)【要約】【課題】  本考案は、環境保全を基本とするもので、限りある資源の減少を食い止めるのと、産業廃棄物である建設汚泥・側溝汚泥・燃え殻（特別管理産業廃棄物を除く）・ばいじん（特別管理産業廃棄物を除く）の完全リサイクルを提供するものである。【解決手段】  産業廃棄物である建設汚泥・側溝汚泥・燃え殻（特別管理産業廃棄物を除く）・ばいじん（特別管理産業廃棄物を除く）を汚泥改良機械の中に入れセメントと特殊固化液を混合させ粒状になった物を混練、押出を行い円形状の物を作り、養生後破砕を行い、路盤材料として使用できるリサイクル砕石を製造する。【選択図】  図１
0003101860.tif 000002
【実用新案登録請求の範囲】
【請求項１】
産業廃棄物である建設汚泥・側溝汚泥・燃え殻（特別管理産業廃棄物を除く）・ばいじん（特別管理産業廃棄物を除く）を汚泥改良機械の中に入れセメントと特殊固化液を混合させ粒状になった物を混練、押出を行い円形状の物を作り、養生後破砕を行い、路盤材料として使用できるリサイクル砕石を製造する装置。
【考案の詳細な説明】
【技術分野】
【０００１】  本考案は、産業廃棄物である建設汚泥・側溝汚泥・燃え殻（特別管理産業廃棄物を除く）・ばいじん（特別管理産業廃棄物を除く）をリサイクル砕石とし再利用可能とする製造方法及びリサイクル砕石に関するものである。
【背景技術】
【０００２】  従来、産業廃棄物である建設汚泥・側溝汚泥については、中間処理を行いセメント等と混合のみを行い限定された再利用が多く、再利用が出来ない場合は最終処分場にて処分されていた。又、燃え殻（特別管理産業廃棄物を除く）・ばいじん（特別管理産業廃棄物を除く）は、ほとんど再利用方法並びに、再利用先がなく管理型の最終処分場にて処分されていた。
【特許文献１】特開２００２−３６１２９０
【特許文献２】特開２００３−１７１１６０
【考案の開示】
【考案が解決しようとする課題】
【０００３】  汚泥については、粒状化により再利用を行っているところがあるが使用範囲が限られているため利用度が少なく又、燃え殻（特別管理産業廃棄物を除く）・ばいじん（特別管理産業廃棄物を除く）、最終処分しているので、リサイクル装置を使用し、リサイクル砕石を製造する。
【課題を解決するための手段】
【０００４】  産業廃棄物である建設汚泥・側溝汚泥・燃え殻（特別管理産業廃棄物を除く）・ばいじん（特別管理産業廃棄物を除く）を汚泥改良機械の中に入れセメントと特殊固化液を混合させ粒状になった物を混練、押出を行い円形状の物を作り、養生後破砕を行い、路盤材料として使用できるリサイクル砕石を製造する装置。
【考案の効果】
【０００５】  建設汚泥・側溝汚泥・燃え殻（特別管理産業廃棄物を除く）・ばいじん（特別管理産業廃棄物を除く）の最終処分が少なくなり最終処分場の延命が図れる。又、従来の再生品とは違い利用範囲が広がる。
【考案を実施するための最良の形態】
【０００６】  建設汚泥・側溝汚泥の含水率調整材として混合機を使用し汚泥の中に、燃え殻（特別管理産業廃棄物を除く）・ばいじん（特別管理産業廃棄物を除く）等を入れ含水率が合った段階で、破砕を行い汚泥の形状をそろえ、破砕されたものは汚泥改良機に定量供給を行い、同時にセメントと特殊固化液を投入し、粒状化物を作る。次に粒状化された物をより強度を高めるため混練機に入れその後、押出機を通し密度を高め、製品塊を作成する。製品塊については、１から２日養生し、破砕機を通し、０から４０ｍｍの製品を製造する。
【実施例】
【０００７】  この考案に係る実施例を図面１に基づいて説明する。１は原料の受入の段階で汚泥・燃え殻（特別管理産業廃棄物を除く）・ばいじん（特別管理産業廃棄物を除く）を各保管場所に受入を行う。２の混合機に入れる時は、含水率を一定の基準に調整しながら混合を行う。３破砕では、建設汚泥・側溝汚泥の中に形状が４０ｍｍ以上の物が含まれているので、それらを破砕し、４汚泥改良機に投入する。投入されたと同時に、セメント・特殊固化液を投入し５粒状化処理を行う。６混練機においては、セメント・特殊固化液を汚泥等の粒子の中に混入させる。圧密された製品塊作成のため７押出機へ排出する。製品塊は８の１日から２日養生させ、９の０から４０ｍｍの破砕を行い１０の製品となり、リサイクル砕石として使用可能になる。
【産業上の利用可能性】
【０００８】  リサイクル砕石はあらゆる土木工事に使用可能となる。
【図面の簡単な説明】
【０００９】
【図１】リサイクル砕石の全体処理工程である。
【符号の説明】
【００１０】１  原料受入
２  建設汚泥・側溝汚泥・燃え殻（特別管理産業廃棄物を除く）・ばいじん（特別管理産業廃棄物を除く）混合処理
３  形状の安定化のための破砕
４  セメント・特殊固化材を含む混合処理
５  粒状化処理
６  均一混練処理
７  押出製品塊処理
８  製品塊養生処理
９  破砕処理
１０  リサイクル砕石製品処理
【図１】
0003101860.tif 000003
【手続補正書】
【提出日】平成15年12月24日(2003.12.24)
【手続補正１】
【補正対象書類名】実用新案登録請求の範囲
【補正対象項目名】請求項１
【補正方法】変更
【補正の内容】
【請求項１】
電気動力によるスクリューコンベアを有する混合機により原料を混ぜる攪拌装置から、コンベアを介して油圧動力による汚泥を破砕するための破砕装置と汚泥とセメント・特殊固化液を混合、造粒そして粒状化をさせる汚泥改良装置を一体化したものから、ベルコンを介し油圧動力よる汚泥とセメント、特殊固化液を結合させるための、正転、逆転する特徴を持つ混錬装置を通し、横型で内部のスクリューが回転する押出装置介し、円筒状の汚泥再生砕石を作る汚泥再生処理装置。
【手続補正２】
【補正対象書類名】明細書
【補正対象項目名】全文
【補正方法】変更
【補正の内容】
【考案の詳細な説明】
【技術分野】
【０００１】  本考案は、産業廃棄物である建設汚泥・側溝汚泥・燃え殻（特別管理産業廃棄物を除く）・ばいじん（特別管理産業廃棄物を除く）をリサイクル砕石とし再利用可能とする製造装置に関するものである。
【背景技術】
【０００２】  従来、産業廃棄物である建設汚泥・側溝汚泥については、中間処理を行いセメント等と混合のみを行う機械装置で限定された再利用が多く、利用価値が少なく、再利用が出来ない場合は最終処分場にて処分されていた。又、燃え殻（特別管理産業廃棄物を除く）・ばいじん（特別管理産業廃棄物を除く）は、ほとんど再利用方法並びに、再利用先がなく管理型の最終処分場にて処分されていた。
【特許文献１】特開２００２−３６１２９０
【特許文献２】特開２００３−１７１１６０
【考案の開示】
【考案が解決しようとする課題】
【０００３】  汚泥については、粒状化により再利用を行っているところがあるが使用範囲が限られているため利用度が少なく又、燃え殻（特別管理産業廃棄物を除く）・ばいじん（特別管理産業廃棄物を除く）、最終処分しているので、リサイクル砕石製造装置を使用し、リサイクル砕石を製造する。
【課題を解決するための手段】
【０００４】電気動力によるスクリューコンベアを有する混合機により原料を混ぜる攪拌装置から、コンベアを介して油圧動力による汚泥を破砕するための破砕装置と汚泥とセメント・特殊固化液を混合、造粒そして粒状化をさせる汚泥改良装置を一体化したものから、ベルコンを介し油圧動力よる汚泥とセメント、特殊固化液を結合させるための、正転、逆転する特徴を持つ混錬装置を通し、横型で内部のスクリューが回転する押出装置介し、円筒状の汚泥再生砕石を作る汚泥再生処理装置。
【考案の効果】
【０００５】  建設汚泥・側溝汚泥・燃え殻（特別管理産業廃棄物を除く）・ばいじん（特別管理産業廃棄物を除く）の最終処分が少なくなり最終処分場の延命が図れる。又、従来の再生品とは違い下層路盤材にも利用範囲が広がる。
【考案を実施するための最良の形態】
【０００６】  建設汚泥・側溝汚泥の含水率調整材として混合機を使用し汚泥の中に、燃え殻（特別管理産業廃棄物を除く）・ばいじん（特別管理産業廃棄物を除く）等を入れ含水率が合った段階で、破砕を行い汚泥の形状をそろえ、破砕されたものは汚泥改良機に定量供給を行い、同時にセメントと特殊固化液を投入し、粒状化物を作る。次に粒状化された物をより強度を高めるため混練機に入れその後、押出機を通し密度を高め、製品塊を作成する。製品塊については、１から２日養生し、破砕機を通し、０から４０ｍｍの製品を製造する。
【実施例】
【０００７】  この考案に係る実施例を図面１に基づいて説明する。１は原料の受入の段階で汚泥・燃え殻（特別管理産業廃棄物を除く）・ばいじん（特別管理産業廃棄物を除く）を各保管場所に受入を行う。２の混合機に入れる時は、含水率を一定の基準に調整しながら混合を行う。３破砕では、建設汚泥・側溝汚泥の中に形状が４０ｍｍ以上の物が含まれているので、それらを破砕し、４汚泥改良機に投入する。投入されたと同時に、セメント・特殊固化液を投入し５粒状化処理を行う。６混練機においては、セメント・特殊固化液を汚泥等の粒子の中に混入させる。圧密された製品塊作成のため７押出機へ排出する。製品塊は８の１日から２日養生させ、９の０から４０ｍｍの破砕を行い１０の製品となり、リサイクル砕石として使用可能になる。
【産業上の利用可能性】
【０００８】  リサイクル砕石はあらゆる土木工事に使用可能となる。
【図面の簡単な説明】
【０００９】
【図１】リサイクル砕石の全体処理工程である。
【符号の説明】
【００１０】１  原料受入
２  建設汚泥・側溝汚泥・燃え殻（特別管理産業廃棄物を除く）・ばいじん（特別管理産業廃棄物を除く）混合処理
３  形状の安定化のための破砕
４  セメント・特殊固化材を含む混合処理
５  粒状化処理
６  均一混練処理
７  押出製品塊処理
８  製品塊養生処理
９  破砕処理
１０  リサイクル砕石製品処理